(57)【要約】【課題】血液、血清、血漿等の検体中に被検出物が含まれているか否かを容易に検出し、検出結果を迅速、かつ、容易に得られる無線型センサを提供する。【解決手段】無線型センサ２は、非接触で情報の送信を行うＩＣタグ４を備え、このＩＣタグ４は、電極対１０間の通電状態を検出し、検出された通電状態の情報等を記録するＩＣチップ６及びＩＣチップ６に記録されている情報の送信等を行うアンテナ８を備えている。また、ＩＣタグ４が備えるＩＣチップ６には、電極対１０が接続されており、この電極対１０は、被検出物により分解される絶縁物質１１によりコーティングされている。従って、検体中に無線型センサ２を投入し、電極対１０間において通電したか否かにより検体中に被検出物が含まれているか否かを容易に検出し、検出結果をアンテナ８を介して、例えば、検査システム等に送信することにより迅速に検査結果を得ることができる。【選択図】　図１
2004139345.tif 000002
【特許請求の範囲】
【請求項１】
非接触で情報の送信を行うＩＣタグと、
前記ＩＣタグの面上に形成された電極対と、
前記電極対をコーティングし、検体中に含まれる被検出物により分解される絶縁物質とを備える無線型センサであって、
前記ＩＣタグは、前記電極対間の通電状態を示す信号を送信することを特徴とする無線型センサ。
【請求項２】
前記ＩＣタグは、前記検体の性状に影響を与えない素材により形成されていることを特徴とする請求項１記載の無線型センサ。
【請求項３】
前記ＩＣタグの面上に複数の電極対が形成されており、前記複数の電極対の各々が異なる前記被検出物により分解される絶縁物質によりコーティングされていることを特徴とする請求項１又は請求項２記載の無線型センサ。
【請求項４】
前記ＩＣタグの面上に複数の電極対が形成されており、前記複数の電極対の各々が前記被検出物により分解される絶縁物質により異なる厚さでコーティングされていることを特徴とする請求項１又は請求項２記載の無線型センサ。
【請求項５】
前記ＩＣタグの面上に複数の電極対が形成されており、前記複数の電極対の各々が異なる濃度の前記被検出物により分解される絶縁物質によりコーティングされていることを特徴とする請求項１又は請求項２記載の無線型センサ。
【請求項６】
前記ＩＣタグは、更に非接触で情報の受信を行うと共に、前記検体の検体識別情報を記憶する検体識別情報記憶手段を備え、
前記検体識別情報記憶手段に受信した前記検体識別情報を記憶することを特徴とする請求項１〜請求項５の何れか一項に記載の無線型センサ。
【発明の詳細な説明】
【０００１】
【発明の属する技術分野】
この発明は、血液、血清、血漿等の検体中に含まれている被検出物を検出し、検出結果を非接触により送信する無線型センサに関するものである。
【０００２】
【従来の技術】
従来、検体等の試料中に含まれている特定物質や特定の成分等の被検出物を検出するものとして、各種のバイオセンサが提案されている。バイオセンサは、生物が持つ優れた物質認識機能を利用、あるいは模倣した化学センサであり、生体物質を用いたバイオマテリアルセンサ、人工的な素材を用いたバイオミメティックセンサ等が存在する。
【０００３】
このバイオセンサを用いる被検出物の検出は、所定量の試料をバイオセンサに滴下し、滴下された試料によりバイオセンサに所定の反応が生じたか否かを別途測定装置等を用いて測定すること等によって行われる（例えば、特許文献１参照）。
【０００４】
【特許文献１】
特開平５−１９６５９６号公報
【０００５】
【発明が解決しようとする課題】
ところで、従来においては、例えば、試料として検体を採取した場合には、採取された検体が収容された検体容器から所定量の検体を取り出し、バイオセンサに滴下して所定の反応が生じたか否かの測定を行って検出結果を得なければならなかった。そのため、検出結果を得るまでに手間が掛かると共に、迅速、かつ、容易に検出を行うことが困難な場合があった。
【０００６】
この発明の課題は、血液、血清、血漿等の検体中に被検出物が含まれているか否かを容易に検出すると共に、検出結果を迅速、かつ、容易に得られる無線型センサを提供することである。
【０００７】
【課題を解決するための手段】
請求項１記載の無線型センサは、非接触で情報の送信を行うＩＣタグと、前記ＩＣタグの面上に形成された電極対と、前記電極対をコーティングし、検体中に含まれる被検出物により分解される絶縁物質とを備える無線型センサであって、前記ＩＣタグは、前記電極対間の通電状態を示す信号を送信することを特徴とする。
【０００８】
この請求項１記載の無線型センサによれば、電極対をコーティングしている絶縁物質が検体中に含まれる被検出物により分解される物質であるため、電極対間において通電したか否かにより被検出物を検出し、検出結果をＩＣタグにより非接触で送信することができる。従って、無線型センサを検体中に直接投入して被検出物が検体中に含まれているか否かを容易に検出することができると共に、例えば、検査システム等に対して検出結果を送信する等により、迅速に検査結果を得ることができる。
【０００９】
また、請求項２記載の無線型センサは、前記ＩＣタグが前記検体の性状に影響を与えない素材により形成されていることを特徴とする。この請求項２記載の無線型センサによれば、無線型センサを直接検体中に投入した場合に、投入された無線型センサにより検査結果へ影響が生じることを適切に防止できる。
【００１０】
また、請求項３記載の無線型センサは、前記ＩＣタグの面上に複数の電極対が形成されており、前記複数の電極対の各々が異なる前記被検出物により分解される絶縁物質によりコーティングされていることを特徴とする。
【００１１】
この請求項３記載の無線型センサによれば、複数の電極対の各々が異なる被検出物により分解される絶縁物質によりコーティングされているため、一つの無線型センサにより同時に複数の被検出物の検出を行うことができる。
【００１２】
また、請求項４記載の無線型センサは、前記ＩＣタグの面上に複数の電極対が形成されており、前記複数の電極対の各々が前記被検出物により分解される絶縁物質により異なる厚さでコーティングされていることを特徴とする。
【００１３】
この請求項４記載の無線型センサによれば、複数の電極対の各々が被検出物により分解される絶縁物質により異なる厚さでコーティングされているめ、被検出物の検出を行うと共に被検出物の濃度を測定することができる。
【００１４】
また、請求項５記載の無線型センサは、前記ＩＣタグの面上に複数の電極対が形成されており、前記複数の電極対の各々が異なる濃度の前記被検出物により分解される絶縁物質によりコーティングされていることを特徴とする。
【００１５】
この請求項５記載の無線型センサによれば、複数の電極対の各々が異なる濃度の被検出物により分解される絶縁物質によりコーティングされている。従って、例えば、所定時間内にどの電極間において通電したかを検出することにより、被検出物の検出を行うと共に、被検出物の濃度を測定することができる。
【００１６】
また、請求項６記載の無線型センサは、前記ＩＣタグが更に非接触で情報の受信を行うと共に、前記検体の検体識別情報を記憶する検体識別情報記憶手段を備え、前記検体識別情報記憶手段に受信した前記検体識別情報を記憶することを特徴とする。
【００１７】
この請求項６記載の無線型センサによれば、ＩＣタグが検体識別情報を受信して記憶している。従って、例えば、ＩＣタグから検査システム等に対して、被検出物の検出結果と、検体がどの患者から採取されたのかを識別する検体識別情報とを併せて送信することができ、検出結果の管理を容易、かつ、適切に行うことができる。
【００１８】
【発明の実施の形態】
以下、図面を参照してこの発明の実施の形態に係る無線型センサについて説明する。
【００１９】
図１は、この実施の形態に係る無線型センサの概略を示す図である。無線型センサ２は、非接触で情報の送受信を行うことができるＩＣタグ４及び所定間隔で対向して配置された電極対１０を備えている。また、ＩＣタグ４は、電極対１０間の通電状態を検出し、被検出物の存在の有無等を記録するＩＣチップ６及びＩＣチップ６に記録されている情報の送信等を行うアンテナ８を備えている。なお、電極対１０は、それぞれＩＣチップ６に接続されており、それぞれ絶縁物質１１によりコーティングされている。
【００２０】
図２は、実施の形態に係る無線型センサ２の側面図である。この図２に示すように、ＩＣチップ６とアンテナ８はＩＣタグ４を形成する素材の内部に設けられており、電極対１０はＩＣタグ４の面上に形成されている。ここで、ＩＣタグ４を形成する素材は検体の性状に影響を与えない素材、例えば、ポリエステル、ポリエチレン、ポリプロピレン、ＰＥＴ（ｐｏｌｙｅｔｈｙｌｅｎｅ　ｔｅｒｅｐｈｔｈａｌａｔｅ）等の素材により形成されている。
【００２１】
ここで、ＩＣタグ４としては、非接触で情報の読み取り及び書き込みが可能なもの、例えば、ＲＦＩＤ（Ｒａｄｉｏ　Ｆｒｅｑｕｅｎｃｙ　Ｉｄｅｎｔｉｆｉｃａｔｉｏｎ）タグなどが用いられる。また、このＩＣタグ４は、フィルム状等、ごく薄い形状のものが用いられる。また、その大きさは、検体容器内に検体と共に収容することが可能な程度のものであり、例えば、微細なものとしては０．４ｍｍ角程度の大きさのＩＣタグが用いられる。
【００２２】
また、電極対１０をコーティングしている絶縁物質１１としては、被検出物により分解される物質、例えば、被検出物がリパーゼである場合には、リパーゼにより分解される絶縁物質である脂質皮膜が用いられる。ここで、絶縁物質１１によりコーティングされているのは、ＩＣタグ４の面上に形成されている電極対１０の部分のみであり、その他の部分はコーティングされていない。
【００２３】
図３は、無線型センサ２のブロック構成図である。この無線型センサ２は、上述のようにＩＣタグ４を備え、このＩＣタグ４にはアンテナ８及び電極対１０が接続されている。ＩＣタグ４に備えられているＩＣチップ６は、ＩＣチップ６におけるデータの処理を制御するデータ制御部１２を備えている。このデータ制御部１２には、電極対１０の間における通電を検出する通電検出部１４及び検体中に被検出物が含まれているか否かの検出結果等を記憶するデータ記憶部１６が接続されている。
【００２４】
ここで、データ記憶部１６には、検出結果に加えて、検体を採取された患者の情報、即ち、無線型センサ２と共に検体容器に収容されている検体がどの患者から採取されたものかを識別するための検体識別情報が記録される。なお、この検体識別情報は、患者から検体を採取する際等にＩＣタグライタから無線型センサ２に対して送信され、無線型センサ２においてアンテナ８を介して受信された後、データ記憶部１６に記憶される。
【００２５】
図４は、この実施の形態に係る無線型センサ２を用いて採取された検体中に被検出物が含まれているか否かを検出する処理を説明するための図である。
【００２６】
図４に示すように、検体２２及び無線型センサ２を収容した検体容器２０は、アンテナ２４と対向する位置に配置される。アンテナ２４は、ＩＣタグリーダ／ライタ（ＩＣタグＲ／Ｗ）２６と接続されており、ＩＣタグＲ／Ｗ２６は、検体の検査に関する情報の蓄積・管理等を行う検査システム２８と無線ネットワーク等により接続されている。
【００２７】
以下、採取された検体中に被検出物が含まれているか否かを検出する処理を説明する。なお、以下においては、血液を検体とし、血液中に被検出物としてリパーゼが含まれているか否かを、電極対１０をリパーゼにより分解される脂質皮膜でコーティングした無線型センサによって検出を行う場合を例として説明する。
【００２８】
まず、患者から血液を採取し、採取した血液を検体容器２０に収容する。ここで、検体容器２０内には予め無線型センサ２が収容されており、患者から血液を採取する際に検体識別情報をＩＣタグ４に書き込む。即ち、例えば、採血が行われる患者の手首に患者を識別するための患者ＩＤを記録したバーコードを付したリストバンドが巻かれている場合には、患者の腕に巻かれているリストバンドに付されたバーコードに記録されている患者ＩＤを図示しないバーコードリーダを介して読み取り、読み取った患者ＩＤを検体識別情報としてアンテナ８を介してＩＣチップ６に送信し、データ記憶部１６に記憶する。
【００２９】
なお、検体容器２０に血液２２を収容した後に、検体容器２０に無線型センサ２を投入し、検体識別情報をＩＣタグ４が備えるＩＣチップ６に記憶させるようにしてもよい。
【００３０】
次に、採取された血液２２と無線型センサ２とを収容した検体容器２０を、図４に示すように、アンテナ２４と対向する位置に、即ち、アンテナ２４から送信される電波の届く範囲に配置する。この時、検体容器がアンテナ２４と対向する位置に配置されることによって、ＩＣタグ４は、アンテナ２４を介して送信される電波により電力伝送を受ける。例えば、ＩＣタグ４として電磁誘導方式のＲＦＩＤタグを用いている場合には、アンテナ８及びアンテナ２４としてコイルを用い、２つのコイルの誘導電束による誘起電圧を利用してＩＣタグ４において発電する。
【００３１】
ここで、血液２２の中にリパーゼが含まれている場合には、電極対１０をコーティングしている脂質皮膜がリパーゼにより分解される。この時、電極対１０の間に電流が流れ、通電検出部１４により電極対１０間において通電したことがＩＣタグ４において検出される。一方、血液２２の中にリパーゼが含まれていない場合には、電極対１０の間は脂質皮膜により絶縁されているため、電極対１０の間には電流が流れずＩＣタグ４において電極対１０間における通電は検出されない。なお、通電検出部１４による通電の検出結果（通電検出又は通電非検出等）は、被検出物の検出結果としてデータ記憶部１６に記憶される。
【００３２】
次に、データ記憶部１６に記憶されている検体識別情報及び検出結果をアンテナ８を介してＩＣタグＲ／Ｗ２６に送信する。即ち、無線型センサ２と共に検体容器２０に収容されている血液２２がどの患者から採取された血液かを識別するための検体識別情報と通電検出部１４によって検出された検出結果をＩＣタグＲ／Ｗ２６に送信する。
【００３３】
ＩＣタグＲ／Ｗ２６においては、無線型センサ２から送信された検体識別情報及び検出結果をアンテナ２４を介して受信し、受信した検体識別情報及び検出結果を検査システム２８に対して送信する。検査システム２８においては、受信した検体識別情報及び検出結果を図示しないデータ記憶部に記憶する。
【００３４】
この発明の実施の形態に係る無線型センサによれば、被検出物により分解される絶縁物質によりコーティングされた電極対を備えており、電極対間において通電したか否かにより検体中に被検出物が含まれているか否かの検出を行っている。従って、採取された検体に直接この無線型センサ投入することにより、容易に検体中に含まれている被検出物を検出することができる。
【００３５】
また、検体に直接投入して被検出物の検出を行うと共に、検出結果を非接触により送信しているため、簡易、かつ、迅速に検体中に被検出物が含まれているか否かの検出結果を取得することができる。
【００３６】
また、実施の形態に係る無線型センサによれば、検体容器に収容されている検体の検体識別情報を記憶しており、この検体識別情報と共に被検出物の検出結果を送信している。従って、被検出物が検体中に含まれているか否かの検出結果と、どの検体についての検出結果であるかを一致させる処理を省くことができ、検出結果を検体識別情報と共に適切に管理することができる。
【００３７】
なお、上述の実施の形態に係る無線型センタにおいては、１種類の被検出物を検出する場合を例として説明しているが、複数種類の被検出物を検出するようにしてもよい。即ち、ＩＣタグの面上に複数の電極対を形成し、各々の電極対を異なる被検出物により分解される絶縁物質でコーティングするようにしてもよい。この場合には、何れの電極対の間で通電したのかを検出することにより、同時に、検体中に含まれている複数種類の被検出物の検出を行うことができる。
【００３８】
また、複数の電極対の各々をコーティングしている被検出物により分解される絶縁物質の厚さを異なる厚さとしてもよい。また、複数の電極対の各々が異なる濃度の被検出物により分解される絶縁物質によりコーティングされていてもよい。これらの場合には、検体中に被検出物が含まれているか否かの検出と共に、検体中に含まれている被検出物の濃度を測定することができる。即ち、ＩＣタグ面上に形成されている何れの電極対の間で通電したかを検出することにより、検体中に含まれている被検出物の濃度を測定することができる。
【００３９】
また、上述の実施の形態に係る無線型センサは、ＩＣタグの面上に形成されている電極対のみを被検出物により分解される絶縁物質でコーティングしているが、無線型センサ全体を被検出物により分解される絶縁物質でコーティングするようにしてもよい。
【００４０】
また、上述の実施の形態に係る無線型センサは、電極対をリパーゼにより分解される脂質皮膜でコーティングし、血液の中にリパーゼが含まれているか否かを検出する場合を例としているが、血液以外の検体に含まれる被検出物の検出を行うようにしてもよい。例えば、電極対をリパーゼにより分解される脂質皮膜でコーティングし、尿の中にリパーゼが含まれているか否かを検出するようにしてもよい。
【００４１】
【発明の効果】
この発明によれば、無線型センサがＩＣタグ及び電極対を備え、ＩＣタグの面上に形成された電極対が被検出物により分解される絶縁物質によりコーティングされている。従って、電極対間において通電したか否かにより被検出物を検出し、検出結果をＩＣタグにより非接触で送信することができる。そのため、無線型センサを検体中に直接投入して被検出物が検体中に含まれているか否かを検出することができると共に、例えば、検査システム等に対して検出結果を送信することにより、迅速に検査結果を得ることができ、被検出物を検出するための作業に掛かる手間を省くことができる。
【図面の簡単な説明】
【図１】この発明の実施の形態に係る無線型センサの概略を示す図である。
【図２】この発明の実施の形態に係る無線型センサの側面図である。
【図３】この発明の実施の形態に係る無線型センサのブロック構成図である。
【図４】この発明の実施の形態に係る無線型センサを用いて被検出物の検出を行う処理を説明するための図である。
【符号の説明】
２…無線型センサ、４…ＩＣタグ、６…ＩＣチップ、８…アンテナ、１０…電極対、１１…絶縁物質、１２…データ制御部、１４…通電検出部、１６…データ記憶部、２０…検体容器、２２…検体（血液）、２４…アンテナ、２６…ＩＣタグリーダ／ライタ（ＩＣタグＲ／Ｗ）、２８…検査システム。
【図１】
2004139345.tif 000003
【図２】
2004139345.tif 000004
【図３】
2004139345.tif 000005
【図４】
2004139345.tif 000006